(57)【要約】【課題】スロット外突出部３７、３８を有するが、既存のパーソナルコンピュータ３１のカードスロット３２に２枚同時に収容可能であるＰＣカード３５、３６を提供する。【解決手段】カード本体部２と、このカード本体部２に連結しカード本体部２よりも厚くカード本体部２をカードスロット３２に装着した際にカードスロット３２から突出するスロット外突出部３７、３８とを有するＰＣカード３５、３６ において、スロット外突出部３７、３８は、カード本体部２の裏面１４よりも膨出しない表面側ポジションと、その裏面２に対向するカード本体部２の表面１３よりも膨出しない裏面側ポジションとを相互に変更して設定できる。【選択図】図８
2007133706.tif 000002
【特許請求の範囲】
【請求項１】
カード本体部と、前記カード本体部に連結し、前記カード本体部よりも厚く、前記カード本体部をカードスロットに装着した際に前記カードスロットから突出するスロット外突出部とを有するＰＣカードにおいて、
前記スロット外突出部は、前記カード本体部の裏面よりも膨出しない表面側ポジションと、前記裏面に対向する前記カード本体部の表面よりも膨出しない裏面側ポジションとを相互に変更して設定できることを特徴とするＰＣカード。
【請求項２】
前記スロット外突出部は、対向する上面と底面を有し、
前記表面側ポジションでは、前記底面は前記裏面側に配置され前記裏面より低くならず、前記上面は前記表面側に配置され前記表面より高くなり、
前記裏面側ポジションでは、前記底面は前記表面側に配置され前記表面より高くならず、前記上面は前記裏面に配置され前記裏面より低くなることを特徴とする請求項１に記載のＰＣカード。
【請求項３】
前記スロット外突出部は、凸部を有し、
前記表面側ポジションでは、前記凸部は前記表面側に配置され前記表面より高くなり、
前記裏面側ポジションでは、前記凸部は前記裏面側に配置され前記裏面より低くなることを特徴とする請求項１に記載のＰＣカード。
【請求項４】
前記カード本体部と前記スロット外突出部は分離可能であり、
前記カード本体部は前記スロット外突出部が分離された前記カード本体部の端面に本体コネクタを有し、
前記スロット外突出部は前記カード本体部が分離された前記スロット外突出部の端面に突出コネクタを有し、
前記本体コネクタと前記突出コネクタを接続することにより、前記カード本体部と前記スロット外突出部は連結し、
前記本体コネクタから前記突出コネクタを外すことにより、前記カード本体部と前記スロット外突出部は分離することを特徴とする請求項２又は請求項３に記載のＰＣカード。
【請求項５】
前記本体コネクタと前記突出コネクタの少なくとも一方には、複数の第１端子が複数の第２端子に対して点対称に配列されており、
前記表面側ポジションでは、前記第１端子を介して前記本体コネクタと前記突出コネクタは接続し、
前記裏面側ポジションでは、前記第２端子を介して前記本体コネクタと前記突出コネクタは接続することを特徴とする請求項４に記載のＰＣカード。
【請求項６】
前記スロット外突出部と前記カード本体部が連結するために互いに対向する端面を経由し、前記カード本体部が有する電気回路と前記スロット外突出部が有する電気回路とを接続し、前記端面の垂線を回転軸とする前記カード本体部に対する前記スロット外突出部の回転に応じ半回転以上ねじれるケーブルをさらに有することを特徴とすることを特徴とする請求項２又は請求項３に記載のＰＣカード。
【請求項７】
前記カード本体部と前記スロット外突出部とに装着と分離が可能であり、前記装着の際には前記本体コネクタと前記突出コネクタを接続する延長ケーブルをさらに有することを特徴とする請求項４に記載のＰＣカード。
【請求項８】
前記カード本体部と前記スロット外突出部を連結させ、前記スロット外突出部が前記表面側ポジションと前記裏面側ポジションに移動するために回転するヒンジ部と、
前記ヒンジ部を経由して前記カード本体部が有する電気回路と前記スロット外突出部が有する電気回路とを接続し前記回転に応じて曲がる配線とをさらに有することを特徴とする請求項１に記載のＰＣカード。
【請求項９】
カード本体部と、前記カード本体部に連結し、前記カード本体部よりも厚く、前記カード本体部をカードスロットの上段又は下段に装着した際に前記カードスロットから突出するスロット外突出部とを有するＰＣカードにおいて、
前記スロット外突出部は、
前記上段に装着した際には、前記下段に装着されたＰＣカードに干渉しない表面側ポジションに設定され、
前記下段に装着した際には、前記上段に装着されたＰＣカードに干渉せず、前記表面側ポジションとは異なる裏面側ポジションに設定されることを特徴とするＰＣカード。
【発明の詳細な説明】
【技術分野】
【０００１】
本発明は、カードスロットに収容されパーソナルコンピュータの機能を拡張するＰＣカードに関する。
【背景技術】
【０００２】
例えば、外部インターフェースを有するＰＣカードは、パーソナルコンピュータのカードスロットに挿入されるカード本体部と、カード本体部に連結しているがカード本体部よりも厚いためにカード本体部をカードスロットに挿入した際にカードスロットから突出するスロット外突出部とを有している。スロット外突出部が、カード本体部よりも厚いのは、スロット外突出部に外部と接続するためのソケットやアンテナを有しているからである。
一般にノート型パーソナルコンピュータ等のカードスロットは、ＰＣカードを２枚重ねて上下２段に収容できるようになっている。このため、スロット外突出部がカード本体部よりも厚いＰＣカードを収容しても、他のスロット外突出部を持たないカード本体部のみのようなＰＣカードも同時に収容できるように、スロット外突出部の底面とカード本体部の裏面の高さはそろえてある。このことにより、スロット外突出部はカード本体部の表面側にのみ凸部を有することになり、カードスロットの上段にスロット外突出部を有するＰＣカードと、下段にスロット外突出部を持たないＰＣカードを同時に収容できる。
【０００３】
しかし、スロット外突出部を有するＰＣカードを２枚同時に収容しようとしても、下段のＰＣカードのスロット外突出部の凸部が上段のＰＣカードに干渉して、２枚のＰＣカードを収容することはできなかった。
【０００４】
そこで、下段のＰＣカードのスロット外突出部の凸部が上段のＰＣカードに干渉しないように、下段ではＰＣカードを裏返して収容することを可能にするＰＣカード用入出力装置が提案されている（例えば、特許文献１）。このＰＣカード用入出力装置はＰＣカードの表面と裏面のどちら側を上にしてもカードスロットに収容することができる。
【特許文献１】特開平１１−２３２４０４号公報（要約書等）
【発明の開示】
【発明が解決しようとする課題】
【０００５】
しかし、このＰＣカード用入出力装置はカードスロットを有するパーソナルコンピュータ側に設けられるので、既存のパーソナルコンピュータに適用することができなかった。そこで、本発明では、スロット外突出部を有するが、既存のパーソナルコンピュータのカードスロットに２枚同時に収容可能であるＰＣカードを提供することを目的とする。
【課題を解決するための手段】
【０００６】
前記課題を解決するため、本発明は、カード本体部と、このカード本体部に連結しカード本体部よりも厚くカード本体部をカードスロットに装着した際にカードスロットから突出するスロット外突出部とを有するＰＣカード において、スロット外突出部は、カード本体部の裏面よりも膨出しない表面側ポジションと、その裏面に対向するカード本体部の表面より膨出しない裏面側ポジションとを相互に変更して設定できるＰＣカードであることを特徴とする。
【発明の効果】
【０００７】
本発明によれば、スロット外突出部を有するが、既存のパーソナルコンピュータのカードスロットに２枚同時に収容可能であるＰＣカードを提供できる。
【発明を実施するための最良の形態】
【０００８】
次に、本発明の実施形態について、適宜図面を参照しながら詳細に説明する。
【０００９】
（第1の実施の形態）
図1と図２に示すように、第1の実施の形態に係るＰＣカード１は、カード本体部２と、カード本体部２に連結するスロット外突出部３とを有している。カード本体部２は、ＰＣコネクタ４、表ラベル５、スロット内挿入部６、本体コネクタ７と支えレール１１、１２を有している。ＰＣコネクタ４は、ＰＣカード１を図示しないパーソナルコンピュータ等のカードスロットに接続するコネクタである。表ラベル５は、カード本体部２の本体部表面１３上に貼られ、ＰＣカード１をパーソナルコンピュータのカードスロットに収容する際に表裏の向きを利用者に示す。スロット内挿入部６は、カードスロットに挿入されるので、カードスロットの上段と下段それぞれに１枚ずつのＰＣカードが収容できるように厚さがＰＣカード規格により定められている。本体コネクタ７は、カード本体部２をスロット外突出部３に接続するメス型コネクタである。本体コネクタ７は、上側の端子２４と、下側の端子２３を有している。上側の端子２４と下側の端子２３はロット内挿入部６に固定されている。
【００１０】
スロット外突出部３は、カード本体部２よりも厚く、カード本体部２をカードスロットに装着した際にカードスロットから突出する。スロット外突出部３は、突出コネクタ８、外部コネクタ９、１０、外部給電部１９と支え溝２１、２２を有している。突出コネクタ８は、スロット外突出部３をカード本体部２に接続するオス型コネクタであり、本体コネクタ７と接続する。突出コネクタ８は、上側の端子２６、下側の端子２８と基板２７を有している。上側の端子２６と下側の端子２８は基板２７に固定されている。外部コネクタ９、１０は、パーソナルコンピュータがＰＣカード１を介して外部装置と接続するためのソケットやアンテナなどのコネクタである。スロット外突出部３が、カード本体部２よりも厚くなるのは、外部コネクタ９、１０が厚いからである。支え溝２１は、支えレール１１を挿入させることにより、スロット外突出部３をカード本体部２に固定している。同様に、支え溝２２は、支えレール１２を挿入させることにより、スロット外突出部３をカード本体部２に固定している。
【００１１】
スロット外突出部３は、カード本体部２に対して図1と図２のように配置される場合は、表面側ポジションに配置されているとする。表面側ポジションでは、スロット外突出部３は、カードスロットの上段に装着した際に、カードスロットの下段に装着されたＰＣカードに干渉しない。表面側ポジションでは、スロット外突出部３はカード本体部２の本体部裏面１４よりも膨出せず本体部裏面１４より低くならない。スロット外突出部３はカード本体部２の本体部表面１３より高くなる。また、スロット外突出部３の対向する上面１５と底面１６に対しては、表面側ポジションでは、底面１６は本体部裏面１４側に配置され、本体部裏面１４より低くならず、上面１５は本体部表面１３側に配置され、本体部表面１３より高くなる。また、スロット外突出部３の本体部表面１３より高く、本体部表面１３の延長面と本体部裏面１４の延長面とで挿まれた領域の外に配置される凸部１７を、スロット外突出部３は有する。表面側ポジションでは、凸部１７は本体部表面１３側に配置され本体部表面１３より高くなる。
【００１２】
図３に示すように、第1の実施の形態に係るＰＣカード１は、カード本体部２とスロット外突出部３とに分離可能である。分離可能であることにより、ＰＣカード１は、図３の分離した移行中の状態を介して、図1と図２の表面側ポジションと後述する図４の裏面側ポジションとを相互に変更して設定できる。
【００１３】
分離可能であるのは、カード本体部２からスロット外突出部３が分離されるカード本体部２の端面に、本体コネクタ７が設けられているからである。対応して、スロット外突出部３からカード本体部２が分離されるスロット外突出部３の端面に、突出コネクタ８が設けられているからである。本体コネクタ７から突出コネクタ８を外すことにより、カード本体部２とスロット外突出部３は分離する。本体コネクタ７と突出コネクタ８を接続することにより、カード本体部２とスロット外突出部３は連結する。
【００１４】
図４に示すように、第1の実施の形態に係るＰＣカード１では、カード本体部２に対してスロット外突出部３を裏面側ポジションに設定することができる。裏面側ポジションは表面側ポジションと異なる。裏面側ポジションでは、スロット外突出部３は、カードスロットの下段に装着した際に、カードスロットの上段に装着されたＰＣカードに干渉しない。裏面側ポジションでは、スロット外突出部３はカード本体部２の本体部表面１３よりも膨出せず本体部表面１３より高くならない。裏面側ポジションでは、スロット外突出部３の底面１６は本体部表面１３側に配置され、本体部表面１３より高くならず、スロット外突出部３の上面１５は本体部裏面１４に配置され、本体部裏面１４より低くなる。また、裏面側ポジションでは、凸部１７は本体部裏面１４側に配置され本体部裏面１４より低くなる。支え溝２１は、支えレール１２を挿入させることにより、スロット外突出部３をカード本体部２に固定する。支え溝２２は、支えレール１１を挿入させることにより、スロット外突出部３をカード本体部２に固定している。
【００１５】
以上のように、スロット外突出部３の裏面側ポジションは、表面側ポジションに対して、スロット外突出部３が裏返り上下が反転した位置関係にある。
【００１６】
図１と図２の表面側ポジションでは、本体コネクタ７の上側の端子２４は、突出コネクタ８の上側の端子２６に接続する。本体コネクタ７の下側の端子２３は、突出コネクタ８の下側の端子２８に接続する。図４の裏面側ポジションでは、本体コネクタ７の上側の端子２４は、突出コネクタ８の下側の端子２８に接続する。本体コネクタ７の下側の端子２３は、突出コネクタ８の上側の端子２６に接続する。このように、裏面側ポジションと表面側ポジションとでは、端子の接続が切り替わっている。端子の接続が切り替わっても、ＰＣカード１としての機能は、裏面側ポジションと表面側ポジションとで同じにする。
【００１７】
機能を同じにするために、図５に示す本体コネクタ７と図６に示す突出コネクタ８の少なくとも一方には、複数の上側の端子が複数の下側の端子に対して点対称に配列されている。具体的には、図５の本体コネクタ７の複数の上側の端子２４が複数の下側の端子２３に対して点対称に配列されている。図１と図２の外部コネクタ９と１０が２つのユニバーサルシリアルバス（ＵＳＢ：Ｕｎｉｖｅｒｓａｌ  Ｓｅｒｉａｌ  Ｂｕｓ）のコネクタであるとすると、上側の端子２４として、ＵＳＢ端子Ａを構成する端子Ａ４からＡ１と直流（ＤＣ）電源の端子を構成する端子＋と端子−が、本体コネクタ７の左の外側から中央への方向に順番にロット内挿入部６上に配列されている。下側の端子２３として、ＵＳＢ端子Ｂを構成する端子Ｂ４からＢ１とＤＣ電源の端子を構成する端子＋と端子−が、本体コネクタ７の右の外側から中央への方向に順番にロット内挿入部６上に配列されている。
【００１８】
一方、図６の突出コネクタ８の複数の上側の端子２６のＤＣ電源を除いたＵＳＢ端子ａが複数の下側の端子２８であるＵＳＢ端子ｂに対して点対称に配列されている。上側の端子２６として、ＵＳＢ端子ａを構成する端子ａ４からａ１とＤＣ電源の端子を構成する端子＋と端子−が、突出コネクタ８の左の外側から中央への方向に順番に基板２７上に配列されている。下側の端子２８として、ＵＳＢ端子ｂを構成する端子ｂ４からｂ１が、突出コネクタ８の右の外側から中央への方向に順番に基板２７上に配列されている。そして、ＵＳＢ端子ａは外部コネクタ９に接続され、ＵＳＢ端子ｂは外部コネクタ１０に接続されているとする。ＤＣ電源の端子＋と端子−は、図１と図２の外部給電部１９に接続している。
【００１９】
図５の端子Ａ１と端子Ｂ１とは、同一の機能の信号を入出力する。表面側ポジションでは、端子Ａ１は図６の端子ａ１に接続し、端子Ｂ１は図６の端子ｂ１に接続する。裏面側ポジションでは、端子Ａ１は図６の端子ｂ１に接続し、端子Ｂ１は図６の端子ａ１に接続する。同様に、図５の端子Ａ２乃至Ａ４と対応する端子Ｂ２乃至Ｂ４とは、同一の機能の信号を入出力する。表面側ポジションでは、端子Ａ２乃至Ａ４はそれぞれ図６の端子ａ２乃至ａ４に接続し、端子Ｂ２乃至Ｂ４はそれぞれ図６の端子ｂ２乃至ｂ４に接続する。裏面側ポジションでは、端子Ａ２乃至Ａ４はそれぞれ図６の端子ｂ２乃至ｂ４に接続し、端子Ｂ２乃至Ｂ４はそれぞれ図６の端子ａ２乃至ａ４に接続する。すなわち、表面側ポジションでは、ＵＳＢ端子Ａは図６のＵＳＢ端子ａに接続し、ＵＳＢ端子Ｂは図６のＵＳＢ端子ｂに接続する。裏面側ポジションでは、ＵＳＢ端子Ａは図６のＵＳＢ端子ｂに接続し、ＵＳＢ端子Ｂは図６のＵＳＢ端子ａに接続する。これらのことにより、スロット外突出部３が反転しても同じピンアサインとなるので、表面側ポジションと裏面側ポジションとで、同様に外部コネクタ９と１０を機能させることができる。分離部分の基板部端子は、以下のような構造とし、分離部が反転しても同じピンアサインとなるようにする。
【００２０】
図５の上側の端子２４の端子＋と下側の端子２３の端子＋とは接続している。上側の端子２４の端子−と下側の端子２３の端子−とは接続している。表面側ポジションでは、上側の端子２４の端子＋と端子−がそれぞれ図６の端子＋と端子−とに接続する。裏面側ポジションでは、下側の端子２３の端子＋と端子−とがそれぞれ図６の端子＋と端子−とに接続する。このことにより、表面側ポジションと裏面側ポジションとで、外部給電部１９から供給される電力をスロット外突出部３を介してカード本体部２に供給することができる。なお、図６の下側の端子２８には、ＤＣ電源の端子＋と端子−が配置されていないが、図５と同様に、上側の端子２６のＤＣ電源の端子＋と端子−と点対称の位置にＤＣ電源の端子＋と端子−を配置してもよい。
【００２１】
表面側ポジションでは、図５の本体コネクタ７の上側の端子２４と図６の突出コネクタ８の上側の端子２７とを介して、本体コネクタ７と突出コネクタ８は接続する。また、図５の本体コネクタ７の下側の端子２３と図６の突出コネクタ８の下側の端子２８とを介して、本体コネクタ７と突出コネクタ８は接続する。
【００２２】
裏面側ポジションでは、図５の本体コネクタ７の上側の端子２４と図６の突出コネクタ８の下側の端子２８とを介して、本体コネクタ７と突出コネクタ８は接続する。また、図５の本体コネクタ７の下側の端子２３と図６の突出コネクタ８の上側の端子２６とを介して、本体コネクタ７と突出コネクタ８は接続する。
【００２３】
図７に示すように、第１の実施の形態によれば、表面側ポジションに設定されたスロット外突出部３７を有する、表面側ポジションのＰＣカード３５と、裏面側ポジションに設定されたスロット外突出部３８を有する、裏面側ポジションのＰＣカード３６を用意することができる。表面側ポジションのＰＣカード３５と裏面側ポジションのＰＣカード３６の２枚のＰＣカードを既存のパーソナルコンピュータ３１のカードスロット３２に収容する。表面側ポジションのＰＣカード３５と裏面側ポジションのＰＣカード３６のそれぞれのＰＣコネクタ４は、上段コネクタ３３と下段コネクタ３４に接続する。表面側ポジションのＰＣカード３５と裏面側ポジションのＰＣカード３６のそれぞれの外部コネクタ９、１０にはＵＳＢケーブル４４を接続することができる。以上により、ＵＳＢケーブル４４を接続するという拡張機能を、２枚のＰＣカード３５、３６によりそれぞれ同時に、パーソナルコンピュータ３１に付加することができる。そして、ＰＣカード３５、３６の表ラベル５はどちらも上向きでＰＣカード３５、３６をカードスロット３２に収容できるように、ＰＣカード３５と３６のＰＣコネクタ４の端子の配列は同一であるので、上段コネクタ３３と下段コネクタ３４とで端子の配列を変える必要はない。パーソナルコンピュータ３１には、従来のパーソナルコンピュータを用いることができ、新規に入手したり、上段コネクタ３３と下段コネクタ３４等を変更する改造をしたりする必要はない。
【００２４】
図８に示すように、カードスロット３２に表面側ポジションのＰＣカード３５と裏面側ポジションのＰＣカード３６の２枚のＰＣカードを収容できるのは、収容した状態で、表面側ポジションと裏面側ポジションにより、スロット外突出部３７と３８とが互いに干渉しないからである。そして、特にノート型パーソナルコンピュータの場合は、ＵＳＢ等の複数のインターフェースの拡張にはＰＣカードが用いられるので、複数枚を干渉せずに装着できる第１の実施の形態によれば、拡張するインターフェースを複数選択することができる。第１の実施の形態によれば、スロット外突出部３７、３８（３）を有するが、既存のパーソナルコンピュータのカードスロットに２枚同時に収容可能であるＰＣカードを提供できる。
【００２５】
また、図９に示すように、本体コネクタ７と突出コネクタ８を接続する延長ケーブルを設けることができる。延長ケーブルは、本体コネクタ７に接続するコネクタ４８と、コネクタ４８を支持するコネクタ支持部４１と、コネクタ４８と４７間を接続する接続ケーブル４２と、接続ケーブル４２と突出コネクタに接続するコネクタ４７と、コネクタ４７を支持するコネクタ支持部４３とを有する。延長ケーブルは、カード本体部２とスロット外突出部３とに装着と分離が可能である。装着することにより、ＰＣカードを収容したパーソナルコンピュータに対して外部コネクタ９、１０を任意の場所、たとえば、使用者の手元に配置でき、使用者の利便性を高めることができる。
【００２６】
（第２の実施の形態）
図１０に示すように、第２の実施の形態に係るＰＣカード１も、図１と図２の第１の実施の形態に係るＰＣカード１と同様に、スロット外突出部３を表面側ポジションに設定することができる。また、図１２に示すように、第２の実施の形態に係るＰＣカード１も、図４の第１の実施の形態に係るＰＣカード１と同様に、スロット外突出部３を裏面側ポジションに設定することができる。しかし、図１１に示すように、第２の実施の形態に係るＰＣカード１では、図３の第１の実施の形態に係るＰＣカード１と異なり、移行中の形態が異なっている。
【００２７】
第２の実施の形態に係るＰＣカード１では、図１と図２の本体コネクタ７と突出コネクタ８の替わりに、カード本体部２とスロット外突出部３とは、ケーブル５７で接続されている。具体的には、ケーブル５７は、カード本体部２が有する電気回路５１の端子５２と、スロット外突出部３が有する電気回路５５の端子５６とを接続する。ケーブル５７は、スロット外突出部３とカード本体部２が連結するために互いに対向する端面を経由するように引き回されている。ケーブル５７は、それらの端面の垂線を回転軸とするカード本体部２に対するスロット外突出部３の回転に応じ半回転以上ねじれても断線しない。ねじれても断線しないためには、ケーブル５７がねじれても突っ張らないように、長めのたるんだ状態で配線し、ケーブル５７自体もフレキシブルな配線を選択すればよい。また、図３の移行中にケーブル５７に引っ張られる力がかかるのを防止するために、ストッパー付パイプ５４を設けることが望ましい。ストッパー付パイプ５４の中にケーブル５７を通すことで、ケーブル５７を外界にさらすこともないので、破損しにくい。ストッパー付パイプ５４のストッパーは、スロット外突出部３とカード本体部２が連結するために互いに対向する端面にそれぞれ当たることで、スロット外突出部３とカード本体部２からストッパー付パイプ５４が引き抜かれないように配置される。また、端面とストッパーの間には、ストッパー付パイプ５４の周りを巻くようにばね５３を設けることが望ましい。ばね５３の伸びようとする力により、図１１の移行中の状態ではなく、図１０の表面側ポジションと図１２の裏面側ポジションを安定して維持することができる。
【００２８】
そして、図１０の表面側ポジションと図１２の裏面側ポジションとを相互に移行させるには、まず、支持溝２１、２２から支持レール１１、１２が外れるまで、カード本体部２とスロット外突出部３を引き離す。次に、露出したストッパー付パイプ５４を中心として、カード本体部２に対してスロット外突出部３を１８０度回転させる。最後に、支持レール１１、１２が支持溝２１、２２に入るようにカード本体部２とスロット外突出部３を近づけ接触させる。
【００２９】
第２の実施の形態によれば、第１の実施の形態での効果が得られるだけでなく、本体コネクタ７と突出コネクタ８によるいわゆるコネクタによる接触が存在しないので、コネクタによる接触不良が存在しない。スロット外突出部３を有するが、既存のパーソナルコンピュータのカードスロットに２枚同時に収容可能であるＰＣカードを提供できる。
【００３０】
（第３の実施の形態）
図１３（ａ）（ｂ）（ｃ）に示すように、第３の実施の形態に係るＰＣカード１も、図８と図１と図２の第１の実施の形態に係るＰＣカード３５（１）と同様に、スロット外突出部３７（３）を表面側ポジションに設定することができる。表面側ポジションでは、スロット外突出部３７（３）は、カード本体部２の本体部裏面１４より低くならない。また、表面側ポジションでは、スロット外突出部３７（３）の底面１６は本体部裏面１４側に配置され本体部裏面１４より低くならず、スロット外突出部３７（３）の上面１５は本体部表面１３側に配置され本体部表面１３より高くなる。
【００３１】
また、図１３（ａ）（ｄ）（ｅ）に示すように、第３の実施の形態に係るＰＣカード１も、図８と図４の第１の実施の形態に係るＰＣカード３６（１）と同様に、スロット外突出部３８（３）を裏面側ポジションに設定することができる。裏面側ポジションでは、スロット外突出部３８（３）は、本体部裏面１４に対向するカード本体部２の本体部表面１３より高くならない。しかし、第３の実施の形態に係るＰＣカード１では、図４の第１の実施の形態に係るＰＣカード１と異なり、裏面側ポジションでは、スロット外突出部３８（３）の底面１６は本体部裏面１４側に配置され本体部裏面１４より低くなり、スロット外突出部３８（３）の上面１５は本体部表面１３側に配置され本体部表面１３より低くなる。
【００３２】
このような相違は、表面側ポジションと裏面側ポジションとを相互に移行させる方法の相違によっている。第３の実施の形態のＰＣカードでは、移行させる方法を実現させるために、本体コネクタ７と突出コネクタ８とに換えて、ヒンジ部６１とケーブル６２を有している。ヒンジ部６１は、カード本体部２とスロット外突出部３７、３８（３）を連結させ、スロット外突出部３７、３８（３）が表面側ポジションと裏面側ポジションに移動するために回動する。
【００３３】
ケーブル６２は、ヒンジ部６１を経由してカード本体部２が有する電気回路５１とスロット外突出部３が有する電気回路５５とを接続し、ヒンジ部６１の回動に応じて曲がる。具体的には、ケーブル６２は、カード本体部２が有する電気回路５１の端子５２と、スロット外突出部３が有する電気回路５５の端子５６とを接続する。ケーブル６２は、ヒンジ部６１の回転に応じて曲げられても断線しない。曲げられても断線しないためには、ケーブル６２が曲げられても突っ張らないように、長めのたるんだ状態で配線し、ケーブル６２自体もフレキシブルな配線を選択すればよい。たとえば、ケーブル６２としては、フラットケーブルや、フレキシブルフラットケーブルを用いればよい。また、ケーブル６２に替えて、フレキシブルプリンティッドサーキットボード（ＰＣＢ）を用いてもよい。フレキシブルＰＣＢには、柔軟性・屈曲性を持たせたポリエステルフィルムやポリイミドフィルムの基板上に配線となる銅箔が接着されている。この銅箔の配線により、カード本体部２が有する電気回路５１の端子５２と、スロット外突出部３が有する電気回路５５の端子５６とを接続すればよい。
【００３４】
そして、表面側ポジションと裏面側ポジションとを相互に移行させる方法としては、表面側ポジションに移行させるにはスロット外突出部３７、３８（３）を持ち上げるようにヒンジ部６１を回動させ、裏面側ポジションに移行させるにはスロット外突出部３７、３８（３）を押し下げるようにヒンジ部６１を回動させればよい。
【００３５】
図１４に示すように、第３の実施の形態によっても、第１の実施の形態と同様に、表面側ポジションに設定されたスロット外突出部３７を有する表面側ポジションのＰＣカード３５と、裏面側ポジションに設定されたスロット外突出部３８を有する裏面側ポジションのＰＣカード３６を用意することができる。表面側ポジションのＰＣカード３５と裏面側ポジションのＰＣカード３６の２枚のＰＣカードを既存のパーソナルコンピュータ３１のカードスロット３２に収容しても、スロット外突出部３７と３８とが互いに干渉しない。
逆に、スロット外突出部３７と３８とが互いに干渉しないように、表面側ポジションのＰＣカード３５と裏面側ポジションのＰＣカード３６の２枚のＰＣカードのそれぞれのヒンジ部６１を任意の角度だけ回転させる調整をしてもよい。具体的には、ＰＣカード３５がカードスロット３２の上段に装着した際にスロット外突出部３７（３）が、カードスロットの下段に装着されたＰＣカード３６に干渉しない点線で示すようなポジションに、表面側ポジションを設定してもよい。また、ＰＣカード３６がカードスロット３２の下段に装着した際にスロット外突出部３８（３）がカードスロットの上段に装着されたＰＣカード３５に干渉しない点線で示すようなポジションに、裏面側ポジションを設定してもよい。このように、表面側ポジションと裏面側ポジションとを設定すれば、スロット外突出部３７（３）の表面側ポジションは、図１３（ｂ）（ｃ）の点線で示すポジションであってもよく、スロット外突出部３８（３）の裏面側ポジションは、図１３（ｄ）（e）の点線で示すポジションであってもよい。実線、点線ともにスロット外突出部３８（３）の裏面側ポジションは、スロット外突出部３７（３）の表面側ポジションより下がった位置になる。
【００３６】
第３の実施の形態によれば、スロット外突出部３７、３８（３）を有するが、既存のパーソナルコンピュータのカードスロットに２枚同時に収容可能であるＰＣカードを提供できる。
【００３７】
以上説明した本発明は、発明の趣旨を逸脱しない範囲で広く変形実施することができる。
【図面の簡単な説明】
【００３８】
【図１】本発明の一実施形態に係るＰＣカードの表面側ポジションにおける鳥瞰図である。
【図２】本発明の一実施形態に係るＰＣカードの表面側ポジションにおける上面図（ａ）、側面図（ｂ）、Ｉ−Ｉ方向の断面図（ｃ）と領域Ｉの拡大図（ｄ）である。
【図３】本発明の一実施形態に係るＰＣカードのポジション移行中における上面図（ａ）、側面図（ｂ）、ＩＩ−ＩＩ方向の断面図（ｃ）と領域ＩＩの拡大図（ｄ）である。
【図４】本発明の一実施形態に係るＰＣカードの裏面側ポジションにおける上面図（ａ）、側面図（ｂ）、Ｖ−Ｖ方向の断面図（ｃ）と領域ＩＩＩの拡大図（ｄ）である。
【図５】本体コネクタの上面に配置された端子の配列図（ａ）、本体コネクタの下面に配置された端子の配列図（ｂ）と本体コネクタのＩＩＩ−ＩＩＩ方向の断面図（ｃ）である。
【図６】突出コネクタの上面に配置された端子の配列図（ａ）、突出コネクタの下面に配置された端子の配列図（ｂ）と突出コネクタのＩＶ−ＩＶ方向の断面図（ｃ）である。
【図７】表面側ポジションのＰＣカードと、裏面側ポジションのＰＣカードを、パーソナルコンピュータのカードスロットに同時に収容する際の状況を説明するための図である。
【図８】パーソナルコンピュータのカードスロットに同時に収容された表面側ポジションのＰＣカードと、裏面側ポジションのＰＣカードの斜方からの透視図（ａ）と、側方からの透視図（ｂ）である。
【図９】カード本体部とスロット外突出部の間に延長ケーブルを接続したＰＣカードの上面図（ａ）と側面図（ｂ）である。
【図１０】本発明の一実施形態に係るＰＣカードの表面側ポジションにおける上方からの透視図（ａ）と側面図（ｂ）である。
【図１１】本発明の一実施形態に係るＰＣカードのポジション移行中における上方からの透視図（ａ）と側面図（ｂ）である。
【図１２】本発明の一実施形態に係るＰＣカードの裏面側ポジションにおける上方からの透視図（ａ）と側面図（ｂ）である。
【図１３】本発明の一実施形態に係るＰＣカードの上方からの透視図（ａ）、表面側ポジションにおける側面図（ｂ）、表面側ポジションにおけるＶＩ−ＶＩ方向の断面図（ｃ）、裏面側ポジションにおける側面図（ｄ）、裏面側ポジションにおけるＶＩ−ＶＩ方向の断面図（ｅ）、である。
【図１４】パーソナルコンピュータのカードスロットに同時に収容された表面側ポジションのＰＣカードと、裏面側ポジションのＰＣカードの側方からの透視図である。
【符号の説明】
【００３９】
１      ＰＣカード
２      カード本体部
３      スロット外突出部
７      本体コネクタ
８      突出コネクタ
１３    本体部表面
１４    本体部裏面
１５    スロット外突出部の上面
１６    スロット外突出部の底面
１７    凸部
２３    本体コネクタの上面に配置された端子
２４    本体コネクタの下面に配置された端子
２６    突出コネクタの上面に配置された端子
２７    基板
２８    突出コネクタの下面に配置された端子
３１    パーソナルコンピュータ
３２    カードスロット
３５    表面側ポジションのＰＣカード
３６    裏面側ポジションのＰＣカード
３７    表面側ポジションのスロット外突出部
３８    裏面側ポジションのスロット外突出部
４２    接続ケーブル
４７、４８  コネクタ
５１    電気回路
５５    電気回路
５７    ケーブル
６１    ヒンジ部
６２    ケーブル
【図１】
2007133706.tif 000003
【図２】
2007133706.tif 000004
【図３】
2007133706.tif 000005
【図４】
2007133706.tif 000006
【図５】
2007133706.tif 000007
【図６】
2007133706.tif 000008
【図７】
2007133706.tif 000009
【図８】
2007133706.tif 000010
【図９】
2007133706.tif 000011
【図１０】
2007133706.tif 000012
【図１１】
2007133706.tif 000013
【図１２】
2007133706.tif 000014
【図１３】
2007133706.tif 000015
【図１４】
2007133706.tif 000016